(57)【要約】【課題】            従来の輸液装置においては、アンプルから薬剤を取り出してシリンジに注入した場合、シリンジ表面には薬剤の種類についての標記はなされていない。また、プレフィルド製剤の場合はシリンジ表面には薬剤の種類が標記されているものの、文字が小さくて読みづらかったり、「ヘパリン」「へパソン」など、一見しただけではすぐに識別できない種類の薬剤もある。そのため、医療従事者が異なる種類の薬剤をうっかり間違えて患者に注入してしまうという事故が起こっていた。【解決手段】        シリンジに表示された、シリンジ内に入っている薬剤データを読み取る薬剤データ読取手段および、該薬剤データを音声出力する音声出力手段を備えることを特徴とするシリンジポンプ。【選択図】          図２
2007185288.tif 000002
【特許請求の範囲】
【請求項１】
シリンジポンプにセットされたシリンジに表示された該シリンジ内に入っている薬剤データを読み取る薬剤データの読取手段および該薬剤データの読取手段による読み取り結果を音声出力する音声出力手段を備えることを特徴とするシリンジポンプ。
【請求項２】
薬剤情報の人体への適用許容情報を格納した薬剤データベース、および該薬剤データベースと前記薬剤データの読取手段による読取り結果を照合して、該読取り結果を前記音声出力手段に音声出力させる判別手段を備えることを特徴とする請求項１に記載のシリンジポンプ。
【請求項３】
前記音声出力手段に音声出力させる内容が、前記薬剤データの読取手段による読取り結果が人体への適用許容範囲内であるかどうかの照合結果であることを特徴とする請求項２に記載のシリンジポンプ。
【請求項４】
薬剤情報の人体への適用許容情報を格納した薬剤データベースが薬剤の種類、選択された薬剤の許容量、選択された薬剤の許容可能な注入速度のいずれか、あるいはそれらの組合せで構成されたものであることを特徴とする請求項２または３記載のシリンジポンプ。
【請求項５】
前記シリンジに表示された薬剤データが、バーコードであることを特徴とする請求項１〜４のいずれかに記載のシリンジポンプ。
【請求項６】
前記薬剤データ読取手段がバーコードリーダであることを特徴とする請求項１〜５のいずれかに記載のシリンジポンプ。
【発明の詳細な説明】
【技術分野】
【０００１】
本発明は、輸液装置に係り、特にシリンジの吸子を押すことで液体を送出する輸液装置に関するものである。
【背景技術】
【０００２】
図２は従来より実施されている輸液装置を示し、１はＣＰＵ、２はインクリメンタルリニアエンコーダ信号処理回路、３はモータ、４は減速歯車、５は送りねじ、６はキャリッジ、７はキャリッジ６に固着している押圧ホルダ（吸子押し部）、８はシリンジ、９は吸子、１０は確定位置検出センサ信号処理回路、１１は光学式インクリメンタルリニアエンコーダを構成するスリット板、１２は上記キャリッジ６に連結したインクリメンタルリニアエンコーダのパルス信号検出用ホトカプラ、１３はスリット板１１の注液残量警報区域に沿って設けた確定位置検出センサ、１４は確定位置検出ドグ、１５は指令パルスカウンタ、１６はインクリメンタルリニアエンコーダのパルスカウンタ、１７はパルス同期式モータ駆動回路を示し、このような従来の輸液装置においては、キャリッジ６に設けたホトカプラ１２の出力をエンコーダ信号処理回路２を介して、ＣＰＵ１からモニタ、管理できるエンコーダのパルスカウンタ１６に送り、また、確定位置検出センサ１３の出力を確定位置検出センサ信号処理回路１０を介してＣＰＵ１に夫々送るようになっている。
【０００３】
また、モータ駆動回路１７は、モータ３の移動量、速度などの駆動指令をパルスで行なうパルス同期式のもので、ＣＰＵ１からの指令パルスによりモータ３の駆動を行なう。さらに、この指令パルスはＣＰＵ１からモニタ、管理できる指令パルスカウンタ１５に送られる。ＣＰＵ１からパルス同期式モータ駆動回路１７へ送られる指令パルスによりモータ３が回転し、歯車４と送りねじ５の作用でキャリッジ６が動作すると、送り軸方向に配置したスリット板１１と、キャリッジ６に固着されたホトカプラ１２との間で発生したパルス信号をエンコーダ信号処理回路２で処理し、エンコーダのパルスカウンタ１６にキャリッジの移動情報として送ることで、ＣＰＵ１はキャリッジ移動を直接モニタする。この時、ＣＰＵ１は単位時間毎に指令パルスカウンタ１５をモニタすることで認識できる移動指令量と、エンコーダパルスカウンタ１６をモニタすることで認識できる押圧ホルダ７の実際の移動量を比較することで、指令と実移動に関する２種類のパルス間の相関状態を検出する。ここで、相関状態が維持されているならば、正しく指令通り押圧ホルダ７が動作していることが成立するので、モータがモータ指令パルスにて駆動されている注液中に、予め絶対位置の確定している確定位置検出センサ１３を押圧ホルダ７に係合しているキャリッジ６に取り付けた確定位置検出ドグ１４がよぎることで発生した信号を確定位置検出センサ信号処理回路１０で処理し、ＣＰＵ１に位置情報として送り、該センサの出力で指令パルスカウンタ１５の値を記憶又はリセットし、指令パルスの１パルスあたりの移動量が予め確定しているので、その位置からＣＰＵ１がパルス同期式モータ駆動回路１７へ送るモータ３への移動指令である指令パルスのカウントを開始することで、押圧ホルダ７の絶対位置を認識することができ、従って、押圧ホルダ７に係合された吸子９の絶対位置を認識することができる。
このような従来の輸液装置においては、モータがモータ指令パルスにて駆動されている注液中に確定位置検出ドグ１４が確定位置検出センサ１３をよぎったときから押圧ホルダ７の絶対位置を認識することができ、そこからモータパルス数のカウントが開始され、しかるべきパルスカウント位置でシリンジ８内の輸液残量警報等の、終了に関する情報を発生させるようにしている。
また、従来の輸液装置においては、その操作手順、例えば、注液開始、停止、確認等をＬＥＤや液晶表示によって表示し、操作者が誤操作したときは、ビーブ音やメロディ音でこれを表示している。
さらに、従来の他の輸液装置は音声表示する手段を備え、注液終了までの所要時間または、終了予定時刻を音声表示している。
また、従来の他の輸液装置は、輸液装置の操作手順を設定する設定手段と、上記設定された手順を音声表示する手段と、実際の操作手順を上記設定手段によって設定された手順と比較する手段と、上記比較の結果、上記実際の操作手順が上記設定手段と異なるときその旨を音声表示している。
【０００４】
【特許文献１】特開２００３−７０９０９
【特許文献２】特開２００３−２７５３０３
【発明の開示】
【発明が解決しようとする課題】
【０００５】
しかしながら、上記従来の輸液装置においては、アンプルから薬剤を取り出してシリンジに注入した場合、シリンジ表面には薬剤の種類についての標記はなされていない。また、プレフィルド製剤の場合はシリンジ表面には薬剤の種類が標記されているものの、文字が小さくて読みづらかったり、「ヘパリン」「へパソン」など、一見しただけではすぐに識別できない種類の薬剤もある。そのため、医療従事者が異なる種類の薬剤をうっかり間違えて患者に注入してしまうという事故が起こっていた。
本発明は上記の欠点を除くようにしたものである。
【課題を解決するための手段】
【０００６】
本発明は下記（１）〜（６）に示すシリンジポンプを提供する。
（１）シリンジポンプにセットされたシリンジに表示された該シリンジ内に入っている薬剤データを読み取る薬剤データの読取手段および該薬剤データの読取手段による読み取り結果を音声出力する音声出力手段を備えることを特徴とするシリンジポンプ。
（２）薬剤情報の人体への適用許容情報を格納した薬剤データベース、および該薬剤データベースと前記薬剤データの読取手段による読取り結果を照合して、該読取り結果を前記音声出力手段に音声出力させる判別手段を備えることを特徴とする前記（１）に記載のシリンジポンプ。
（３）前記音声出力手段に音声出力させる内容が、前記薬剤データの読取手段による読取り結果が人体への適用許容範囲内であるかどうかの照合結果であることを特徴とする前記（２）に記載のシリンジポンプ。
（４）薬剤情報の人体への適用許容情報を格納した薬剤データベースが薬剤の種類、選択された薬剤の許容量、選択された薬剤の許容可能な注入速度のいずれか、あるいはそれらの組合せで構成されたものであることを特徴とする前記（２）または（３）に記載のシリンジポンプ。
（５）前記シリンジに表示された薬剤データが、バーコードであることを特徴とする前記（１）〜（４）のいずれかに記載のシリンジポンプ。
（６）前記薬剤データ読取手段がバーコードリーダであることを特徴とする前記（１）〜（５）のいずれかに記載のシリンジポンプ。
【発明の効果】
【０００７】
薬剤名及び薬剤量を音声で出力するため、医療従事者は投与している薬剤に間違いはないか、その量は適切であるか確認し、輸液療法の安全性を高める。
また、投与予定の薬剤量が適当であるか、もしくは注入速度が許容範囲内であるかを判別し、その判別結果を外部出力できるため医療従事者がその薬剤の適用可能量、注入可能速度を把握していなくても誤注入を防止可能である。
その外部出力手段が音声であれば、文字で表示する場合に比べてより注意を引きやすくなる。
また、データ読取手段がバーコードリーダであると、入力が簡単で語入力の心配もない。
【発明を実施するための最良の形態】
【０００８】
以下の文によって本発明の実施例を説明する。
まずシリンジ８の所定位置に貼り付けられたバーコード２１が、シリンジポンプに設けたバーコードリーダ２２に当接するようにシリンジ８をシリンジポンプにセットする。その後シリンジポンプに設けたＣＰＵ１が、シリンジ８に貼り付けたバーコード２１から、バーコードリーダ２２によってバーコード読取回路２３を介して、薬剤の種類、量を読み取る。ＣＰＵ１は、読み取ったデータを発生回路を介して、スピーカにて薬剤の種類、量を音声出力する。その後、医療従事者がこの薬剤で問題ないと認識すれば注液操作を行う。
なお、アンプルから薬剤を取り出してシリンジに注入する場合、アンプルに貼り付けたバーコードを剥がして、シリンジの所定位置に貼り付ける。
注液開始に際しては押圧ホルダ７をそのスタート位置に向かって図１においては右方に手動移動せしめ、次いで押圧ホルダ７を注液方向に向かって、図１において左方に手動移動して吸子９に連結せしめ、吸子９をシリンジ８内に押し込んで注液を開始せしめる。
また、モータ駆動回路１７は、モータ３の移動量、速度などの駆動指令をパルスで行なうパルス同期式のもので、ＣＰＵ１からの指令パルスによりモータ３の駆動を行なう。
このとき、薬剤の品名、薬剤の人体への適用量、薬剤の人体への注入可能速度といった薬剤情報が格納されている薬剤データベース２４があれば、バーコードリーダ２２により読み取った薬剤の品名について、該当する薬剤の品名を薬剤データベース２４から検索し、検出した薬剤の人体への適用量、薬剤の人体への注入可能速度といったデータを薬剤データベース２４から取り出す。取り出したデータとバーコードリーダ２２から読み取った薬剤の品名、薬剤量、および医療従事者がシリンジポンプに入力した薬剤注入速度をＣＰＵ1で照合し、薬剤の種類、薬剤量、薬剤注入速度とも人体への適用可能範囲内であると確認できれば、発生回路を介してスピーカで「薬剤の種類、薬剤量、薬剤注入速度いずれも人体への適用可能範囲内です」等と音声表示させる。
この場合、文章はこれに限ったものではなく、医療従事者に問題ないと認識させればなんでも良い。
また、人体への適用範囲外であると確認した場合は、発生回路を介してスピーカで「薬剤量○○ｍＬ人体への適用範囲外です。」もしくは「注入速度○○mL/min人体への適用範囲外です。」と音声表示させる。
この場合、文章はこれに限ったものではなく、医療従事者に問題ないと認識させればなんでも良い。
また、この他、警告音を鳴らしたり、エラー表示ランプ（図示せず）を点灯させるのも効果的である。
本発明において、確定位置検出センサ１３をモータ移動指令パルス数で取り付け位置の認識されている複数のもの例えば２個のもの１３−１及び１３−２とし、第１のセンサ１３−１を押圧ホルダ７が吸子９から離間しているスタート位置と押圧ホルダ７が吸子９に連結される注液開始位置間に沿ったスリット板１１に対応して設け、第２のセンサ１３−２を注液開始後の押圧ホルダ７の移動途中に沿ったスリット板１１に対応して設け、押圧ホルダ７がスタート位置に入るため右方に手動移動し、その後吸子セットのため押圧ホルダ７を上記スタート位置から左方に手動移動する際に、確認位置検出ドグ１４が第１のセンサ１３−１を通過したとき、エンコーダ信号処理回路２を介してインクリメンタルリニアエンコーダのパルスカウンタ１６をクリアせしめ、そこからエンコーダのパルスカウンタ１６によってモータパルスのカウントを開始し、吸子９が押圧ホルダ７にセットされたとき、エンコーダのパルスカウンタ１６のカウントを保存し、吸子９の絶対位置をエンコーダパルス数として認識せしめ、この位置と、事前にモータ指令パルス数で判明している装着されたシリンジ８固有の注液終了位置との差分から求められる注液終了位置までの距離と、設定されている注液速度とにより、注液開始時に注液終了までの所要時間を演算し、音声で「あと○○分です。」などと表示せしめる。
このようにして、輸液療法の安全性を高めることができる。
【図面の簡単な説明】
【０００９】
【図１】従来の輸液装置の概略説明図である。
【図２】本発明の輸液装置の概略説明図である。
【符号の説明】
【００１０】
１ ＣＰＵ
２ インクリメンタルエンコーダ信号処理回路
３ モータ
４ 歯車
５ 送りねじ
６ キャリッジ
７ 押圧ホルダ（吸子押し部）
８ シリンジ
９ 吸子
１０ 確定位置検出センサ信号処理回路
１１ スリット板
１２ ホトカプラ
１３ 確定位置検出センサ
１３−１ 第１の確定位置検出センサ
１３−２ 第２の確定位置検出センサ
１４ 確定位置検出ドグ
１５ 指令パルスカウンタ
１６ インクリメンタルリニアエンコーダのパルスカウンタ
１７ パルス同期式モータ駆動回路
１８ リアルタイムクロック
１９ 発声回路
２０ スピーカ
２１  バーコード
２２  バーコードリーダ
２３  バーコード読取回路
２４  薬剤データベース
【図１】
2007185288.tif 000003
【図２】
2007185288.tif 000004